(57)【要約】【課題】  引き出し式収納装置において、左右の倒れ規制部に邪魔されることなく、収納物を容易に出し入れできるようにする。【解決手段】  収納スペース１１から前方に引き出し可能な収納体１１０を備える引き出し式収納装置１００であって、収納体１１０が、ボトル容器Ｂを収納する下側収納部１１３と、下側収納部１１３の左右両側部又は一側部に形成されるボトル容器Ｂの出し入れ口１１４と、出し入れ口１１４の下側に設けられ、ボトル容器Ｂの左右方向の倒れを規制する倒れ規制部１１５とを備え、倒れ規制部１１５の一部を一側方へ退避可能な可動部材１１６を用いて形成し、かつ、倒れ規制部材１１５の一部に、ボトル容器を傾けたときにその一部を他側方へ逃がす逃がし空間部１１５ａを形成してある。【選択図】      図５
2005224311.tif 000002
【特許請求の範囲】
【請求項１】
収納スペースから前方に引き出し可能な収納体を備える引き出し式収納装置であって、
前記収納体が、
収納物を収納する収納部と、
前記収納部の左右両側部又は一側部に形成される収納物の出し入れ口と、
前記出し入れ口の下側に設けられ、収納物の左右方向の倒れを規制する倒れ規制部とを備え、
前記倒れ規制部の少なくとも一部が、外側方へ退避可能な可動部材を用いて形成される
ことを特徴とする引き出し式収納装置。
【請求項２】
前記可動部材が、収納物の左右方向の倒れを規制する初期位置に向けてバネで付勢されることを特徴とする請求項１記載の引き出し式収納装置。
【請求項３】
前記収納部の左右両側部に設けられる前記倒れ規制部のうち、一側部の前記倒れ規制部に、前記可動部材が設けられ、他側部の前記倒れ規制部には、収納物が一側方へ傾けられたとき、当該収納物の一部を前記収納体から他側方へ逃がす逃がし空間が形成されることを特徴とする請求項１又は２記載の引き出し式収納装置。
【請求項４】
前記倒れ規制部及び／又は前記可動部材が、前記収納体の引き出し方向に沿う線状部材を用いて形成されることを特徴とする請求項１〜３のいずれかに記載の引き出し式収納装置。
【請求項５】
前記収納体が、前記収納部の上側に第二の収納部を備えることを特徴とする請求項１〜４のいずれかに記載の引き出し式収納装置。
【請求項６】
前記収納体が引き出し限度位置まで引き出されたとき、前記収納部の後端が、前記収納スペースの外側に位置し、前記第二収納部の後端が、前記収納スペースの内側に位置することを特徴とする請求項５記載の引き出し式収納装置。
【発明の詳細な説明】
【技術分野】
【０００１】
本発明は、引き出し自在な収納体を備える引き出し式収納装置に関し、特に、システムキッチンに組み込まれ、ボトル容器の収納に適した引き出し式収納装置に関する。
【背景技術】
【０００２】
収納スペースから前方に引き出し可能な収納体を備える引き出し式収納装置が知られている。この種の引き出し式収納装置は、デッドスペースの有効利用が可能であるため、システムキッチンなどで広く採用されており、例えば、調味料などのボトル容器を収納するボトル収納庫として使用されている（例えば、特許文献１、２参照。）。
【０００３】
以下、従来の引き出し式収納装置について説明する。
図６は、システムキッチンの正面図、図７は、従来例に係る引き出し式収納装置（引き出し状態）の斜視図、図８は、従来例に係る引き出し式収納装置の収納物取り出し手順を示す説明図である。
【０００４】
これらの図に示される引き出し式収納装置２００は、システムキッチン１０の縦長な収納スペース１１を有効利用するために構成されたものであり、システムキッチン１０の収納スペース１１に収納される収納体２１０と、この収納体２１０を引き出し自在に支持するスライドレール２２０とを備えている。収納体２１０の正面には、引き手２３１を備える化粧パネル２３０が設けられ、この引き手２３１を引くことにより収納体２１０が引き出される。
【０００５】
図７及び図８に示すように、収納体２１０には、上下二段の収納部２１１、２１２が構成されている。上側及び下側収納部２１１、２１２は、いずれも網カゴ（バスケット）で形成されており、上側収納部２１１には、小瓶などの小物が収納される。下側収納部２１２は、ボトル容器Ｂの収納を想定して構成されており、収納空間の高さや左右幅は、標準的なボトル容器Ｂのサイズをもとに設定されている。
【０００６】
ボトル容器Ｂの出し入れは、下側収納部２１２の左右両側部（又は一側部）に形成される出し入れ口２１３を介して行われる。また、下側収納部２１２の左右両側部（出し入れ口２１３の下側）には、収納されたボトル容器Ｂの左右方向の倒れを規制する倒れ規制部２１４（本例では網カゴの側壁部）が設けられている。倒れ規制部２１４によるボトル容器Ｂの倒れ防止効果は、倒れ規制部２１４とボトル容器Ｂの隙間が小さく、かつ倒れ規制部２１４の高さ寸法が大きいほど高くなる。
【特許文献１】特開２０００−２４５５４５号公報
【特許文献２】特開２００２−１１２８４３号公報
【発明の開示】
【発明が解決しようとする課題】
【０００７】
ところで、倒れ規制部２１４とボトル容器Ｂの隙間を小さくし、かつ倒れ規制部２１４の高さ寸法を大きくすると、逆に倒れ規制部２１４が邪魔になり、ボトル容器Ｂの出し入れが困難になるという問題が生じる。
そのため従来の引き出し式収納装置２００では、下側収納部２１２の上部に空きスペースＳを確保し、この空きスペースＳを使って、ボトル容器Ｂの出し入れを行うようにしている。
【０００８】
しかしながら、上記のように構成されたものでは、下側収納部２１２からボトル容器Ｂを取り出すとき、図８に示すように、一度、ボトル容器Ｂを垂直方向に持ち上げ、その後に左右方向に傾けて取り出す必要があるため、ボトル容器Ｂの取り出しに手間がかかるという問題がある。
しかも、下側収納部２１２の上部に空きスペースＳを確保すると、上側収納部２１１の底面位置が高くなるため、ある程度の高さがある収納物を上側収納部２１１に収納することが困難になるという問題もある。
【０００９】
また、図７に示すように、収納体２１０には、引き出し限度位置まで引き出しても収納スペース１１内に残る引き残し部分があるため、引き残し部分に収納したボトル容器Ｂを取り出す場合、手前側のボトル容器Ｂを一度取り出さなければならないという面倒がある。
【００１０】
本発明は、上記の事情にかんがみなされたものであり、収納部の左右両側部又は一側部に倒れ規制部を設けて、収納物の左右方向の倒れを規制するものでありながら、収納物の出し入れを容易に行うことができ、しかも、収納部上方の空きスペースを不要にして、背の高い収納物の収納を可能にしたり、上側収納部の収納空間を拡張することができる引き出し式収納装置の提供を目的とする。
【課題を解決するための手段】
【００１１】
上記目的を達成するため本発明の引き出し式収納装置は、収納スペースから前方に引き出し可能な収納体を備える引き出し式収納装置であって、前記収納体が、収納物を収納する収納部と、前記収納部の左右両側部又は一側部に形成される収納物の出し入れ口と、前記出し入れ口の下側に設けられ、収納物の左右方向の倒れを規制する倒れ規制部とを備え、前記倒れ規制部の少なくとも一部が、外側方へ退避可能な可動部材を用いて形成される構成としてある。
【００１２】
このように構成すると、倒れ規制部の少なくとも一部を外側方へ退避させることができるので、倒れ規制部に邪魔されることなく、収納物を簡単に出し入れすることが可能になる。
しかも、収納部の上方に空きスペースを確保しなくても、収納物を出し入れできるので、従来よりも背の高い収納物を収納することが可能になる。
【００１３】
また、本発明の引き出し式収納装置は、前記可動部材が、収納物の左右方向の倒れを規制する初期位置に向けてバネで付勢される構成としてある。
このように構成すると、収納物の出し入れ時のみ可動部材が外側方へ退避するので、収納物の倒れ防止効果が低下したり、収納体のスライド時に可動部材が突出して収納スペース側に干渉したりする不都合がない。
【００１４】
また、本発明の引き出し式収納装置は、前記収納部の左右両側部に設けられる前記倒れ規制部のうち、一側部の前記倒れ規制部に、前記可動部材が設けられ、他側部の前記倒れ規制部には、収納物が一側方へ傾けられたとき、当該収納物の一部を前記収納体から他側方へ逃がす逃がし空間が形成される構成としてある。
このように構成すると、倒れ規制部と収納物の隙間が小さくても、倒れ規制部に邪魔されずに収納物を左右方向に傾けることができるので、収納物の倒れ防止効果や、収納物の出し入れ性を更に向上させることができる。
【００１５】
また、本発明の引き出し式収納装置は、前記倒れ規制部及び／又は前記可動部材が、前記収納体の引き出し方向に沿う線状部材を用いて形成される構成としてある。
このように構成すると、倒れ規制部や可動部材の構造を簡略化できるだけでなく、上記の逃がし空間を容易に形成することができる。
【００１６】
また、本発明の引き出し式収納装置は、前記収納体が、前記収納部の上側に第二の収納部を備える構成としてある。
このように構成すると、収納部（下側収納部）の上方空間を有効利用することができる。
しかも、上述したように、収納部（下側収納部）の上方には、空きスペースを確保する必要がないため、第二収納部（上側収納部）の底面位置を可及的に低くし、第二収納部（上側収納部）の収納空間を拡張することができる。
【００１７】
また、本発明の引き出し式収納装置は、前記収納体が引き出し限度位置まで引き出されたとき、前記収納部の後端が、前記収納スペースの外側に位置し、前記第二収納部の後端が、前記収納スペースの内側に位置する構成としてある。
このように構成すると、第二収納部（上側収納部）の収納空間を減らすことなく、収納部（下側収納部）の引き残し部分を無くすことができるため、収納物の出し入れが一層容易になる。
また、収納部（下側収納部）の引き残し部分を無くすことにより、可動部材が収納スペースの側壁と干渉することを防止することができる。
【発明の効果】
【００１８】
以上のように、本発明によれば、収納部の左右両側部又は一側部に倒れ規制部を設けて、収納物の左右方向の倒れを規制するものでありながら、倒れ規制部の少なくとも一部を外側方へ退避させることにより、倒れ規制部に邪魔されることなく、収納物を簡単に出し入れすることができる。
しかも、収納部の上方に空きスペースを確保する必要がないため、従来よりも背の高い収納物を収納したり、収納部の上側に形成される第二収納部の収納空間を拡張することが可能になる。
【発明を実施するための最良の形態】
【００１９】
以下、本発明の実施形態について、図面を参照して説明する。
図１は、本発明の実施形態に係る引き出し式収納装置（収納状態）の斜視図、図２は、本発明の実施形態に係る引き出し式収納装置（引き出し状態）の斜視図、図３（ａ）は、本発明の実施形態に係る収納体（引き出し状態）の側面図、図３（ｂ）は、本発明の実施形態に係る収納体の正面図、図４は、本発明の実施形態に係る引き出し式収納装置の収納物取り出し手順を示す説明図である。
【００２０】
これらの図に示すように、引き出し式収納装置１００は、システムキッチン１０の縦長な収納スペース１１に収納される収納体１１０と、この収納体１１０を引き出し自在に支持する左右一組のスライドレール１２０とを備えている。収納体１１０の正面には、引き手（図示せず）を備える化粧パネル１３０が設けられ、この引き手を引くことにより収納体１１０が引き出される。
【００２１】
スライドレール１２０は、収納スペース１１の底部に固定される固定レール１２１と、収納体１１０の底部に固定される可動レール１２２と、固定レール１２１及び可動レール１２２に対してスライド自在な中間レール１２３とを備える伸縮レールであり、伸長状態の長さは、縮小状態の長さのほぼ２倍となる。
【００２２】
収納体１１０は、フレーム１１１と、フレーム１１１の上側に構成される上側収納部１１２と、フレーム１１１の下側に構成される下側収納部１１３とを備えている。
フレーム１１１は、左右のフレーム枠１１１ａを複数の連結板１１１ｂなどで連結して構成されている。
【００２３】
上側収納部１１２は、左右のフレーム枠１１１ａ間に架設される網カゴ１１２ａで形成され、その中には、着脱自在なトレー１１２ｂがセットされる。上側収納部１１２には、小瓶などの小物が収納されることを想定しており、その出し入れは、収納体１１０の上方から行われる。
【００２４】
下側収納部１１３は、フレーム１１１の底面を利用して形成され、その中には、着脱自在なトレー１１３ａがセットされる。下側収納部１１３には、ボトル容器Ｂが収納されることを想定しており、収納空間の高さや左右幅は、標準的なボトル容器Ｂのサイズをもとに設定されている。
【００２５】
下側収納部１１３に対するボトル容器Ｂの出し入れは、下側収納部１１３の左右両側部（又は一側部）に形成される出し入れ口１１４を介して行われる。
また、出し入れ口１１４の下側（下側収納部１１３の左右両側部）には、倒れ規制部１１５が設けられている。この倒れ規制部１１５は、下側収納部１１３に収納されたボトル容器Ｂの左右方向の倒れを規制するものであり、倒れ規制部１１５とボトル容器Ｂとの隙間が小さく、かつ倒れ規制部１１５の高さ寸法が大きいほど、ボトル容器Ｂが左右方向に倒れにくくなる。
【００２６】
倒れ規制部１１５の少なくとも一部は、外側方へ退避可能な可動部材１１６を用いて形成されている。本実施形態では、下側収納部１１３の右側部に設けられる倒れ規制部１１５の上部を可動部材１１６で構成してある。
このように構成すれば、倒れ規制部１１５の少なくとも一部が外側方へ退避することにより、倒れ規制部１１５に邪魔されることなく、下側収納部１１３に対してボトル容器Ｂを簡単に出し入れすることが可能になる。
【００２７】
また、ボトル容器Ｂを垂直方向に持ち上げなくても、ボトル容器Ｂの出し入れが可能になるため、下側収納部１１３とほぼ同じ高さのボトル容器Ｂも収納することができる。
また、背の高いボトル容器Ｂを収納する必要が無い場合は、図５に示すように、上側収納部１１２の底面位置を低くして、上側収納部１１２の収納空間を拡張することができる。
【００２８】
可動部材１１６は、ボトル容器Ｂの左右方向の倒れを規制するバネ１１７で付勢されることが好ましい。バネ１１７は、可動部材１１６を、常時、初期位置側に引き戻すように付勢している。
このようにすれば、ボトル容器Ｂの出し入れ時のみ可動部材１１６を外側方へ退避させることができるので、ボトル容器Ｂの倒れ防止効果が低下せず、しかも、収納体１１０のスライド時に可動部材１１６が外側方に突出して、収納スペース１１の側壁に干渉する不都合も回避することができる。
【００２９】
また、本実施形態では、下側収納部１１３の左右両側部に設けられる倒れ規制部１１５のうち、右側の倒れ規制部１１５に可動部材１１６を設け、左側の倒れ規制部１１５には、ボトル容器Ｂが右側へ傾けられたとき、ボトル容器Ｂの左下角部を収納体１１０から左側方へ逃がすための逃がし空間１１５ａを形成してある。
これにより、倒れ規制部１１５とボトル容器Ｂの隙間を小さくしても、左右の倒れ規制部１１５に邪魔されずにボトル容器Ｂを左右方向に傾けることができるので、ボトル容器Ｂの倒れを防止しつつ、ボトル容器Ｂの出し入れを容易にすることが可能になる。
【００３０】
倒れ規制部１１５や可動部材１１６は、収納体１１０の引き出し方向に沿う線状部材（バー部材）を用いて形成することが好ましい。本実施形態では、左右の倒れ規制部１１５をそれぞれ二本の線状部材で形成しており、その一部を可動部材１１６としている。具体的に説明すると、可動部材１１６を構成する線状部材１１６ａは、両端部が下方に折曲され、その先端部に設けられる連結板１１６ｂを介して、収納体１１０に回動支持されている。上述したバネ１１７は、収納体１１０と連結板１１６ｂとの間に介設されるものである。
このように、線状部材を用いて倒れ規制部１１５や可動部材１１６を構成すれば、倒れ規制部１１５や可動部材１１６の構造を簡略化できるとともに、逃がし空間１１５ａを容易に形成することができる。
【００３１】
また、図３（ａ）に示すように、本実施形態では、収納体１１０が引き出し限度位置まで引き出されたとき、下側収納部１１３の後端が収納スペース１１の外側に位置し、上側収納部１１２の後端が収納スペース１１の内側に位置するように、収納体１１０の後端部を段差状に形成してある。
収納体１１０をこのように形成すれば、上側収納部１１２の収納空間を減らすことなく、下側収納部１１３の引き残し部分を無くすことができる。これにより、引き残し部分にボトル容器Ｂが収納されることがなくなり、ボトル容器Ｂの出し入れが一層容易になる。
また、下側収納部１１３の引き残し部分を無くすことにより、可動部材１１６が収納スペース１１の側壁と干渉することもなくなる。
【００３２】
つぎに、引き出し式収納装置１００におけるボトル容器Ｂの取り出し手順について、図４を参照して説明する。
収納体１１０の下側収納部１１３に収納されたボトル容器Ｂを取り出す場合は、まず、引き手を引き、収納体１１０を限度位置まで引き出す。つぎに、取り出したいボトル容器Ｂを右側方へ傾ける。このとき、可動部材１１６がボトル容器Ｂに押されて右側方へ退避し、また、ボトル容器Ｂの左下角部は、逃がし空間１１５ａを介して収納体１１０の左側方へ突出するため、左右の倒れ規制部１１５に邪魔されず、ボトル容器Ｂを容易に傾けることができる。そして、傾けたボトル容器Ｂを引き出せば、ボトル容器Ｂの取り出しが完了する。
また、上記と逆の手順により、ボトル容器Ｂを下側収納部１１３に簡単に収納することができる。
【００３３】
以上のように構成された本実施形態の引き出し式収納装置１００によれば、下側収納部１１３の左右両側部に倒れ規制部１１５を設けて、ボトル容器Ｂの左右方向の倒れを規制するものでありながら、右側倒れ規制部１１５の上部が、外側方へ退避可能な可動部材１１６を用いて形成されているので、倒れ規制部１１５に邪魔されることなく、ボトル容器Ｂを簡単に出し入れすることができる。
しかも、下側収納部１１３の上方に空きスペースを確保しなくても、ボトル容器Ｂの出し入れができるため、下側収納部１１３とほぼ同じ高さのボトル容器Ｂも収納することが可能になる。
【００３４】
また、可動部材１１６は、ボトル容器Ｂの左右方向の倒れを規制する初期位置に向けてバネ１１７で付勢されるので、ボトル容器Ｂを出し入れするときだけ、可動部材１１６を外側方へ退避させることができる。これにより、ボトル容器Ｂの倒れ防止効果が低下したり、収納体１１０のスライド時に可動部材１１６が突出して、収納スペース１１側に干渉する不都合を回避することができる。
【００３５】
また、下側収納部１１３の左右両側部に設けられる倒れ規制部１１５のうち、一側部の倒れ規制部１１５に可動部材１１６を設け、他側部の倒れ規制部１１５には、ボトル容器Ｂが一側方へ傾けられたとき、その一部を、収納体１１０から他側方へ逃がす逃がし空間１１５ａを形成しているので、倒れ規制部１１５とボトル容器Ｂの隙間を小さくしても、倒れ規制部１１５に邪魔されずにボトル容器Ｂを左右方向に傾けることができる。これにより、ボトル容器Ｂの倒れ防止効果や出し入れ性を更に高めることができる。
【００３６】
また、倒れ規制部１１５や可動部材１１６は、収納体１１０の引き出し方向に沿う線状部材を用いて形成されているので、倒れ規制部１１５や可動部材１１６の構造を簡略化できるだけでなく、逃がし空間１１５ａを容易に形成することができる。
【００３７】
また、収納体１１０は、下側収納部１１３の上方に上側収納部１１２を備えるので、下側収納部１１３の上方空間を有効利用することができる。
しかも、本発明の収納体１１０では、下側収納部１１３の上方に空きスペースを確保する必要がないため、上側収納部１１２の底面位置を低くして、上側収納部１１２の収納空間を拡張することができる。
【００３８】
また、収納体１１０が引き出し限度位置まで引き出されたとき、下側収納部１１３の後端が収納スペース１１の外側に位置し、上側収納部１１２の後端が収納スペース１１の内側に位置するので、上側収納部１１２の収納空間を減らすことなく、下側収納部１１３の引き残し部分を無くすことができる。これにより、引き残し部分にボトル容器Ｂが収納されることがなくなり、ボトル容器Ｂの出し入れが更に容易になる。
【産業上の利用可能性】
【００３９】
本発明は、引き出し自在な収納体を備える引き出し式収納装置に適用することができる。特に、ボトル容器を収納するために、システムキッチンに組み込まれる引き出し式収納装置に好適である。
【図面の簡単な説明】
【００４０】
【図１】本発明の実施形態に係る引き出し式収納装置（収納状態）の斜視図である。
【図２】本発明の実施形態に係る引き出し式収納装置（引き出し状態）の斜視図である。
【図３】（ａ）は、本発明の実施形態に係る収納体（引き出し状態）の側面図、（ｂ）は、本発明の実施形態に係る収納体の正面断面図である。
【図４】本発明の実施形態に係る引き出し式収納装置の収納物取り出し手順を示す説明図である。
【図５】上側収納部の底面位置が下げられた収納体を示す正面図である。
【図６】システムキッチンの正面図である。
【図７】従来例に係る引き出し式収納装置（引き出し状態）の斜視図である。
【図８】従来例に係る引き出し式収納装置の収納物取り出し手順を示す説明図である。
【符号の説明】
【００４１】
１０  システムキッチン
１１  収納スペース
１００  引き出し式収納装置
１１０  収納体
１１１  フレーム
１１２  上側収納部
１１３  下側収納部
１１４  出し入れ口
１１５  倒れ規制部
１１５ａ  逃がし空間
１１６  可動部材
１１７  バネ
１２０  スライドレール
Ｂ  ボトル容器
【図１】
2005224311.tif 000003
【図２】
2005224311.tif 000004
【図３】
2005224311.tif 000005
【図４】
2005224311.tif 000006
【図５】
2005224311.tif 000007
【図６】
2005224311.tif 000008
【図７】
2005224311.tif 000009
【図８】
2005224311.tif 000010